(57)【要約】【課題】煩雑な作業を伴うことなく、壁の外観を改善することが可能な壁補修方法を提供すること。【解決手段】壁補修方法であって、既設アルミ板（３０）のうち壁本体（１０）から浮き上がった浮き上がり部を覆う形状を有する補修用アルミ板（５０）を準備する準備工程と、浮き上がり部を覆うように既設アルミ板（３０）の外側に補修用アルミ板（５０）を位置決めする位置決め工程と、補修用アルミ板（５０）及び既設アルミ板（３０）を貫通した状態で補修用アルミ板（５０）を既設アルミ板（３０）の外側に固定可能な固定具（７０）によって補修用アルミ板（５０）を既設アルミ板（３０）の外側に固定する補修用アルミ板固定工程と、補修用アルミ板（５０）の外面及び固定具（７０）の外面のうち少なくとも補修用アルミ板（５０）の外面に塗装する塗装工程と、を含むこと。【選択図】図５
2018053564.tif 000002
【特許請求の範囲】
【請求項１】
壁本体と、前記壁本体の外側に取り付けられたアルミニウムないしアルミニウム合金からなる既設アルミ板と、を有する壁を補修する方法であって、
アルミニウムないしアルミニウム合金からなり、前記既設アルミ板のうち前記壁本体から浮き上がった浮き上がり部を覆う形状を有する補修用アルミ板を準備する準備工程と、
前記浮き上がり部を覆うように前記既設アルミ板の外側に前記補修用アルミ板を位置決めする位置決め工程と、
前記補修用アルミ板及び前記既設アルミ板を貫通した状態で前記補修用アルミ板を前記既設アルミ板の外側に固定可能な固定具によって前記補修用アルミ板を前記既設アルミ板の外側に固定する補修用アルミ板固定工程と、
前記補修用アルミ板の外面及び前記固定具の外面のうち少なくとも前記補修用アルミ板の外面に塗装する塗装工程と、を含む、壁補修方法。
【請求項２】
請求項１に記載の壁補修方法において、
前記準備工程では、前記補修用アルミ板として、前記既設アルミ板の全域を覆う形状を有するものを準備し、
前記位置決め工程では、前記既設アルミ板の外面の全域を覆うように前記補修用アルミ板を位置決めする、壁補修方法。
【請求項３】
請求項１又は２に記載の壁補修方法において、
前記位置決め工程の前に、前記補修用アルミ板を取り外し可能な状態で仮保持することが可能な仮保持部材を前記既設アルミ板の外面に取り付ける仮保持部材取付工程をさらに含む、壁補修方法。
【請求項４】
請求項３に記載の壁補修方法において、
前記準備工程では、前記補修用アルミ板として、互いに対向する縁部を有し、これら縁部同士が互いに接触した状態で前記浮き上がり部を覆う形状を有する第１アルミ板及び第２アルミ板を準備し、
前記位置決め工程では、前記第１アルミ板の縁部の端面と前記第２アルミ板の縁部の端面とが互いに接触する状態で前記第１アルミ板及び前記第２アルミ板を前記仮保持部材に保持させる、壁補修方法。
【請求項５】
請求項１ないし４のいずれかに記載の壁補修方法において、
前記位置決め工程の前に、前記既設アルミ板のうち前記浮き上がり部を含む部位を除去する除去工程をさらに含む、壁補修方法。
【請求項６】
請求項１ないし５のいずれかに記載の壁補修方法において、
前記位置決め工程の後でかつ前記補修用アルミ板固定工程の前に、前記固定具を取り付けるための穴を前記補修用アルミ板、前記既設アルミ板及び前記壁本体に形成する穴形成工程をさらに含み、
前記補修用アルミ板固定工程では、前記固定具として、前記穴の直径よりも小さな外径を有する筒部と、前記筒部の基端部から当該筒部の径方向の外向きに張り出すとともに前記穴の直径よりも大きな外形を有する押付部と、を有するブラインドリベットを用い、前記押付部によって前記補修用アルミ板が前記既設アルミ板に押し付けられかつ前記筒部が前記穴に挿入された状態で前記筒部の先端部が前記穴の直径よりも大きな外形となるように前記筒部の先端部を塑性変形させることによって前記補修用アルミ板を前記既設アルミ板の外側に固定する、壁補修方法。
【請求項７】
請求項６に記載の壁補修方法において、
前記壁は、前記壁本体の内側に前記壁本体から空間を置いて配置された内側壁本体と、前記内側壁本体の内側に取り付けられたアルミニウムないしアルミニウム合金からなる内側既設アルミ板と、をさらに有し、
前記穴形成工程では、前記補修用アルミ板から前記壁本体までの範囲にのみ前記穴を形成する、壁補修方法。
【発明の詳細な説明】
【技術分野】
【０００１】
本発明は、建物の壁の補修方法に関するものである。
【背景技術】
【０００２】
従来、特許文献１に見られるように、建物の外壁やバルコニー壁等の壁として、アルミ板（アルミニウムないしアルミニウム合金からなる平板状の部材）を備えるものが知られている。アルミ板の外面には、塗装が施されている。このような壁は、アルミ板の内側に壁本体が設けられており、壁本体とアルミ板とが接着剤によって接着されていることが多い。
【先行技術文献】
【特許文献】
【０００３】
【特許文献１】特開昭６２−２１６６７６号公報
【発明の概要】
【発明が解決しようとする課題】
【０００４】
特許文献１に記載されるような壁では、経年劣化により接着剤の接着力が低下し、アルミ板が熱膨張したときにアルミ板が部分的に壁本体から浮き上がる場合がある。この場合、壁の外観が悪化する懸念がある。
【０００５】
そこで、壁本体から浮き上がった部位を含むアルミ板を除去し、新しいアルミ板を接着剤によって壁本体の外側に取り付けることが考えられるが、壁自体が複雑な組立てにより構成されている場合や、壁内に配管や配線等が設けられている場合には、この作業は非常に煩雑なものとなる。
【０００６】
本発明の目的は、煩雑な作業を伴うことなく、壁の外観を改善することが可能な壁補修方法を提供することである。
【課題を解決するための手段】
【０００７】
前記課題を解決するための手段として、本発明は、壁本体と、前記壁本体の外側に取り付けられたアルミニウムないしアルミニウム合金からなる既設アルミ板と、を有する壁を補修する方法であって、アルミニウムないしアルミニウム合金からなり、前記既設アルミ板のうち前記壁本体から浮き上がった浮き上がり部を覆う形状を有する補修用アルミ板を準備する準備工程と、前記浮き上がり部を覆うように前記既設アルミ板の外側に前記補修用アルミ板を位置決めする位置決め工程と、前記補修用アルミ板及び前記既設アルミ板を貫通した状態で前記補修用アルミ板を前記既設アルミ板の外側に固定可能な固定具によって前記補修用アルミ板を前記既設アルミ板の外側に固定する補修用アルミ板固定工程と、前記補修用アルミ板の外面及び前記固定具の外面のうち少なくとも前記補修用アルミ板の外面に塗装する塗装工程と、を含む、壁補修方法を提供する。
【０００８】
本外壁補修方法では、既設アルミ板の浮き上がり部を覆うように補修用アルミ板が取り付けられ、少なくともその補修用アルミ板の外面に塗装が施されるという簡単な作業で壁の外観が改善される。
【０００９】
この場合において、前記準備工程では、前記補修用アルミ板として、前記既設アルミ板の全域を覆う形状を有するものを準備し、前記位置決め工程では、前記既設アルミ板の外面の全域を覆うように前記補修用アルミ板を位置決めすることが好ましい。
【００１０】
このようにすれば、既設アルミ板の外面の全域が補修用アルミ板によって覆われるので、既設アルミ板のうち浮き上がり部を含む部位が部分的に補修用アルミ板によって覆われる場合（既設アルミ板と補修用アルミ板との境界が外観に表れる場合）に比べ、壁の外観が向上する。
【００１１】
また、前記壁補修方法において、前記位置決め工程の前に、前記補修用アルミ板を取り外し可能な状態で仮保持することが可能な仮保持部材を前記既設アルミ板の外面に取り付ける仮保持部材取付工程をさらに含むことが好ましい。
【００１２】
このようにすれば、位置決め工程において補修用アルミ板が既設アルミ板の外面に仮保持されるので、補修用アルミ板固定工程での補修用アルミ板の固定が容易になる。
【００１３】
さらに、前記壁補修方法において、前記準備工程では、前記補修用アルミ板として、互いに対向する縁部を有し、これら縁部同士が互いに接触した状態で前記浮き上がり部を覆う形状を有する第１アルミ板及び第２アルミ板を準備し、前記位置決め工程では、前記第１アルミ板の縁部と前記第２アルミ板の縁部とが互いに接触する状態で前記第１アルミ板及び前記第２アルミ板を前記仮保持部材に保持させることが好ましい。
【００１４】
このようにすれば、既設アルミ板のうち浮き上がり部を含む部位の面積が比較的大きな場合や、補修のための作業スペースが限られた状況であっても、効率的に補修を行うことができる。また、第１アルミ板の縁部と第２アルミ板の縁部とが互いに接触しているので、これら縁部同士の境界へのシーリングが不要となる。
【００１５】
また、前記壁補修方法において、前記位置決め工程の前に、前記既設アルミ板のうち前記浮き上がり部を含む部位を除去する除去工程をさらに含むことが好ましい。
【００１６】
このようにすれば、特に既設アルミ板の損傷が激しい場合（浮き上がりが大きい場合）においても、位置決め工程において既設アルミ板の外側に補修用アルミ板を位置決めした際の既設アルミ板の補修用アルミ板への接触が回避されるので、補修用アルミ板の位置決めが容易になり、さらに、壁の外観が向上する。
【００１７】
また、前記壁補修方法において、前記位置決め工程の後でかつ前記補修用アルミ板固定工程の前に、前記固定具を取り付けるための穴を前記補修用アルミ板、前記既設アルミ板及び前記壁本体に形成する穴形成工程をさらに含み、前記補修用アルミ板固定工程では、前記固定具として、前記穴の直径よりも小さな外径を有する筒部と、前記筒部の基端部から当該筒部の径方向の外向きに張り出すとともに前記穴の直径よりも大きな外形を有する押付部と、を有するブラインドリベットを用い、前記押付部によって前記補修用アルミ板が前記既設アルミ板に押し付けられかつ前記筒部が前記穴に挿入された状態で前記筒部の先端部が前記穴の直径よりも大きな外形となるように前記筒部の先端部を塑性変形させることによって前記補修用アルミ板を前記既設アルミ板の外側に固定することが好ましい。
【００１８】
このようにすれば、補修用アルミ板の既設アルミ板への接続強度を確保しながら壁の外観を向上させることができる。具体的に、ブラインドリベットの筒部の先端部は、壁本体に形成された穴の直径よりも大きな外形となるまで塑性変形するので、補修用アルミ板、既設アルミ板及び壁本体に形成する穴の直径を小さくすることができ、これにより外観上目立ちにくい固定具（比較的小さな外形を有する押付部を有する固定具）を選択することが可能となる。
【００１９】
また、前記壁補修方法において、前記壁は、前記壁本体の内側に前記壁本体から空間を置いて配置された内側壁本体と、前記内側壁本体の内側に取り付けられたアルミニウムないしアルミニウム合金からなる内側既設アルミ板と、をさらに有し、前記穴形成工程では、前記補修用アルミ板から前記壁本体までの範囲にのみ前記穴を形成することが好ましい。
【００２０】
このようにすれば、内側壁本体及び内側既設アルミ板を有する壁（バルコニー壁等）において、内側壁本体及び内側既設アルミ板を損傷させることなく壁の外観を向上させることができる。
【発明の効果】
【００２１】
以上のように、本発明によれば、煩雑な作業を伴うことなく、壁の外観を改善することが可能な壁補修方法を提供することができる。
【図面の簡単な説明】
【００２２】
【図１】補修前の壁の平面視における部分断面図である。
【図２】壁本体から既設アルミ板の一部が浮き上がった状態の壁を示す断面図である。
【図３】仮保持部材取付工程後の状態を示す壁の斜視図である。
【図４】補修後の壁を示す斜視図である。
【図５】図４に示す壁の平面視における部分断面図である。
【図６】ブラインドリベットの側面図である。
【図７】ブラインドリベットの断面図である。
【図８】取付工具を示す図である。
【図９】補修後の壁の固定具の近傍を示す断面図である。
【発明を実施するための形態】
【００２３】
本発明の一実施形態の壁補修方法について、図１〜図９を参照しながら説明する。なお、「壁」には、建物の外壁や、バルコニー壁や、互いに隣接するバルコニー間を区切るパーティション壁や、庇先端面のような内部閉鎖仕切壁等が含まれる。本実施形態では、バルコニー壁を例に説明する。
【００２４】
図１は、補修前の壁１を示している。この図１に示されるように、壁１は、壁本体１０と、壁本体１０の外側に取り付けられた既設アルミ板３０と、壁本体１０の内側に配置された内側壁本体１１と、内側壁本体１１の内側に取り付けられた内側既設アルミ板３１と、を有している。
【００２５】
本実施形態では、壁本体１０及び内側壁本体１１は、ポリエステル系の樹脂材料で構成されている。壁本体１０は、平坦な前壁部１０ｆと、平坦な側壁部１０ｓと、を有している。前壁部１０ｆ及び側壁部１０ｓは、一枚の板材が折り曲げられることにより形成されている。前壁部１０ｆの内側に内側壁本体１１が配置されている。前壁部１０ｆ及び内側壁本体１１は、ビスやリベット等の締結具４により保持支柱３に固定されている。換言すれば、保持支柱３により、前壁部１０ｆと内側壁本体１１との間の空間が規定されている。
【００２６】
既設アルミ板３０及び内側既設アルミ板３１は、アルミニウムないしアルミニウム合金からなる。既設アルミ板３０は、壁本体１０の外面に固定（接着）されている。内側既設アルミ板３１は、内側壁本体１１の内面に固定（接着）されている。既設アルミ板３０は、前壁部１０ｆの外面に固定された平坦な前板部３０ｆと、側壁部１０ｓの外面に固定された平坦な側板部３０ｓと、を有している。前板部３０ｆ及び側板部３０ｓは、一枚の板材が折り曲げられることにより形成されている。図２に示されるように、既設アルミ板３０は、接着剤２０によって壁本体１０の外面に固定（接着）されている。また、既設アルミ板３０の外面には、塗装によって塗膜４０が形成されている。なお、図示省略するが、内側既設アルミ板３１も接着剤によって内側壁本体１１の内面に固定されており、内側既設アルミ板３１の内面にも、塗装によって塗膜が形成されている。各壁本体１０，１１及び各既設アルミ板３０，３１は、締結具４により保持支柱３に固定されている。また、図１に示されるように、各壁本体１０，１１及び各既設アルミ板３０，３１のうち側壁部１０ｓ及び側板部３０ｓ側と反対側の端部（締結部４により保持支柱３に固定されている部位）は、カバー２により覆われている。
【００２７】
ここで、図２には、既設アルミ板３０の一部が壁本体１０から浮き上がった状態が示されている。以下、既設アルミ板３０のうち壁本体１０から浮き上がった部位を「浮き上がり部３２」と称する。この浮き上がり部３２は、経年劣化による接着剤２０の接着力の低下等が原因で既設アルミ板３０が熱膨張したときに生じる。本実施形態の壁補修方法は、浮き上がり部３２に起因する壁１の外観の悪化を改善するものである。具体的に、本壁補修方法は、アルミニウムないしアルミニウム合金からなる補修用アルミ板５０を図４及び図５に示される固定具７０で既設アルミ板３０の外側に固定することによって、既設アルミ板３０の浮き上がり部３２を覆う（隠す）ものである。より詳細には、壁補修方法は、準備工程と、仮保持部材取付工程と、位置決め工程と、穴形成工程と、補修用アルミ板固定工程と、シーリング工程と、塗装工程と、を備えている。なお、この補修方法を採用する理由は、締結部４により保持支柱３に固定された各壁本体１０，１１及び各既設アルミ板３０，３１の取外しが困難であるからである。
【００２８】
準備工程は、補修用アルミ板５０を準備する工程である。補修用アルミ板５０は、浮き上がり部３２を覆う形状、より具体的には、既設アルミ板３０の全域を覆う形状を有する。本実施形態では、準備工程において、補修用アルミ板５０として、第１アルミ板５１及び第２アルミ板５２（図４及び図５を参照）が準備される。図４及び図５に示されるように、第１アルミ板５１及び第２アルミ板５２は、互いに対向する縁部５１ａ，５２ａを有し、これら縁部５１ａ，５２ａの端面同士が互いに接触した状態で浮き上がり部３２を含む既設アルミ板３０の全域を覆う形状を有する。第１アルミ板５１は、前板部３０ｆの一部を覆う形状を有する。具体的に、第１アルミ板５１は、平坦でかつ矩形状を有する板材である。第２アルミ板５２は、前板部３０ｆの残部及び側板部３０ｓを覆う形状を有する。具体的に、第２アルミ板５２は、既設アルミ板３０の前板部３０ｆ及び側板部３０ｓに沿うように折り曲げられた板材である。なお、図４では、後述の塗膜９０の図示は省略されている。
【００２９】
仮保持部材取付工程は、補修用アルミ板５０を取り外し可能な状態で仮保持することが可能な仮保持部材６０を既設アルミ板３０の外面に取り付ける工程である。この仮保持部材６０は、前板部３０ｆに取り付けられる。なお、図３は、仮保持部材取付工程後の壁１の斜視図である。本実施形態では、仮保持部材６０として、両面テープが用いられている。両面テープは、止水効果をも有する。なお、仮保持部材取付工程の前に、既設アルミ板３０の外面が清掃されることが好ましい。
【００３０】
位置決め工程は、浮き上がり部３２を覆うように既設アルミ板３０の外側に補修用アルミ板５０を位置決めする工程である。この工程では、図４及び図５に示されるように、第１アルミ板５１の縁部５１ａの端面と第２アルミ板５２の縁部５２ａの端面とが互いに接触する状態（各アルミ板５１，５２間に隙間がほとんど形成されない状態）で第１アルミ板５１及び第２アルミ板５２が仮保持部材６０に保持させる。
【００３１】
穴形成工程は、キリ等によって補修用アルミ板５０、既設アルミ板３０及び壁本体１０に固定具７０を取り付けるための穴を形成する工程である。具体的に、この穴形成工程では、補修用アルミ板５０の外側から壁本体１０を貫通する深さの穴が形成される。なお、本工程では、内側壁本体１１に穴は形成されない。なお、図５は、穴形成工程、補修用アルミ板固定工程及び塗装工程が終了した後（補修後）の壁１の断面図である。
【００３２】
補修用アルミ板固定工程は、補修用アルミ板５０を既設アルミ板３０の外側に固定可能な固定具７０によって補修用アルミ板５０を既設アルミ板３０の外側に固定する工程である。本実施形態では、固定具７０として、いわゆるブラインドリベットが用いられる。具体的に、図６及び図７に示されるように、固定具７０は、リベット本体７１と、シャフト７５と、を有している。
【００３３】
リベット本体７１は、穴の直径よりも小さな外径を有する円筒状の筒部７２と、筒部７２の基端部７２ａから当該筒部７２の径方向の外向きに張り出すとともに穴の直径よりも大きな外形を有する押付部７３と、を有する。
【００３４】
シャフト７５は、筒部７２の内径よりも小さな外径を有する軸部７６と、軸部７６の先端に接続された玉部７７と、を有する。玉部７７は、穴の直径よりも小さくかつ筒部７２の内径よりも大きな外形を有するとともに、軸部７６の筒部７２からの引き抜き時に筒部７２の先端部７２ｂを塑性変形させることが可能な剛性を有する。
【００３５】
補修用アルミ板固定工程では、図８に示される取付工具Ｔによって固定具７０（ブラインドリベット）が取り付けられる。なお、図８は、取付工具Ｔの例を示すものであり、取付工具Ｔはこれに限られない。具体的に、補修用アルミ板固定工程では、まず、玉部７７を先頭にして固定具７０が穴に挿入される。そして、筒部７２の先端部７２ｂが壁本体１０の内面よりも内側に位置する状態で取付工具Ｔによって軸部７６が外側に引き抜かれる。そうすると、玉部７７がリベット本体７１に対して外向きに相対変位し、これにより筒部７２の先端部７２ｂが穴の直径よりも大きな外形となるように塑性変形する（図９を参照）。筒部７２のうち塑性変形した部位は、壁本体１０の内面に当接している。この状態で、押付部７３が補修用アルミ板５０を既設アルミ板３０の外面に押し付ける。換言すれば、固定具７０は、前記塑性変形した部位と押付部７３とによって補修用アルミ板５０、既設アルミ板３０及び壁本体１０を壁本体１０の厚さ方向の両側から挟持している。その後、取付工具Ｔによって軸部７６の引き抜きを継続することにより、軸部７６が破断する。軸部７６の破断面は、筒部７２内に形成される。
【００３６】
シーリング工程は、図４及び図５に示されるように、第１アルミ板５１とカバー２との境界や、第２アルミ板５２の他の縁部５２ｂと他の補修用アルミ板５０との境界に、シーリング８０を設ける工程である。なお、第１アルミ板５１と第２アルミ板５２とは互いに接触しており、しかも、第１アルミ板５１の縁部５１ａ及び第２アルミ板５２の縁部５２ａの内側には、止水機能を有する仮保持部材６０が設けられているので、第１アルミ板５１と第２アルミ板５２との境界には、シーリングは設けられない。
【００３７】
塗装工程は、補修用アルミ板５０の外面及び固定具７０の外面に塗装によって塗膜９０（図５及び図９を参照）を形成する工程である。
【００３８】
これらの工程を経ることにより、壁１の補修が完了する。
【００３９】
以上に説明したように、本実施形態の壁補修方法では、既設アルミ板３０の浮き上がり部３２を覆うように補修用アルミ板５０が取り付けられ、その補修用アルミ板５０の外面に塗装が施されるという簡単な作業で壁１の外観が改善される。
【００４０】
また、上記実施形態では、準備工程において、補修用アルミ板５０として、既設アルミ板３０の全域を覆う形状を有するものが準備され、位置決め工程において、既設アルミ板３０の外面の全域を覆うように補修用アルミ板５０が位置決めされるので、既設アルミ板３０のうち浮き上がり部３２を含む部位が部分的に補修用アルミ板５０によって覆われる場合（既設アルミ板３０と補修用アルミ板５０との境界が外観に表れる場合）に比べ、壁１の外観が向上する。
【００４１】
また、上記実施形態では、位置決め工程の前に、仮保持部材６０を既設アルミ板３０の外面に取り付ける仮保持部材取付工程を含むので、位置決め工程において補修用アルミ板５０が既設アルミ板３０の外面に仮保持される。よって、補修用アルミ板固定工程での補修用アルミ板５０の固定が容易になる。
【００４２】
ここで、既設アルミ板３０の壁本体１０からの浮き上がりが著しい部位が存在する場合等には、仮保持部材取付工程の前に、当該部位を除去する除去工程を含むことが好ましい。このようにすれば、位置決め工程において既設アルミ板３０の外側に補修用アルミ板５０を位置決めした際の既設アルミ板３０の補修用アルミ板５０への接触が回避されるので、補修用アルミ板５０の位置決めが容易になり、さらに、壁１の外観が向上する。なお、既設アルミ板３０の壁本体１０からの浮き上がりが著しい部位は、前板部３０ｆ及び側板部３０ｓの境界である角部近傍に比較的生じやすい。
【００４３】
さらに、上記実施形態では、補修用アルミ板５０として第１アルミ板５１及び第２アルミ板５２を準備し、位置決め工程において、第１アルミ板５１の縁部５１ａの端面と第２アルミ板５２の縁部５２ａの端面とが互いに接触する状態で第１アルミ板５１及び第２アルミ板５２を仮保持部材６０に保持させる。このため、既設アルミ板３０のうち浮き上がり部３２を含む部位の面積が比較的大きな場合や、補修のための作業スペースが限られた状況であっても、効率的に補修を行うことができる。また、第１アルミ板５１の縁部５１ａの端面と第２アルミ板５２の縁部５２ａの端面とが互いに接触しているので、これら縁部５１ａ，５２ａ同士の境界へのシーリングが不要となる。
【００４４】
また、上記実施形態では、穴形成工程を有し、補修用アルミ板固定工程では、固定具７０としてブラインドリベットが用いられるので、補修用アルミ板５０の既設アルミ板３０への接続強度を確保しながら、壁１の外観を向上させること、すなわち、比較的小さな外形を有する押付部７３を有する固定具７０を選択することができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００４６】
例えば、補修用アルミ板固定工程では、固定具７０としては、ブラインドリベットでなく、ねじが用いられてもよい。この場合であっても、既設アルミ板３０の外側に補修用アルミ板５０が取り付けられる。ただし、上記実施形態のように、固定具７０としてブラインドリベットが用いられることにより、固定具７０としてねじが用いられる場合に比べ、壁本体１０に形成する穴の直径を小さくしつつ固定具７０の接続強度を有効に確保することができる。
【符号の説明】
【００４７】
１    壁（外壁）
１０    壁本体
１１    内側壁本体
２０    接着剤
３０    既設アルミ板
３１    内側既設アルミ板
３２    浮き上がり部
４０    塗膜
５０    補修用アルミ板
５１    第１アルミ板
５１ａ  縁部
５２    第２アルミ板
５２ａ  縁部
６０    仮保持部材（両面テープ）
７０    固定具（ブラインドリベット）
７１    リベット本体
７２    筒部
７３    押付部
７５    シャフト
７６    軸部
７７    玉部
８０    シーリング
Ｔ    取付工具
【図１】
2018053564.tif 000003
【図２】
2018053564.tif 000004
【図３】
2018053564.tif 000005
【図４】
2018053564.tif 000006
【図５】
2018053564.tif 000007
【図６】
2018053564.tif 000008
【図７】
2018053564.tif 000009
【図８】
2018053564.tif 000010
【図９】
2018053564.tif 000011
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
壁本体と、前記壁本体の外側に取り付けられたアルミニウムないしアルミニウム合金からなる既設アルミ板と、前記壁本体の端部及び前記既設アルミ板の端部を覆うカバーと、を有する壁を補修する方法であって、
アルミニウムないしアルミニウム合金からなり、前記既設アルミ板のうち前記壁本体から浮き上がった浮き上がり部を覆う形状を有する補修用アルミ板を準備する準備工程と、
前記浮き上がり部を覆いかつ前記補修用アルミ板の端部が前記カバーに沿うように前記既設アルミ板の外側に前記補修用アルミ板を位置決めする位置決め工程と、
前記補修用アルミ板及び前記既設アルミ板を貫通した状態で前記補修用アルミ板を前記既設アルミ板の外側に固定可能な固定具によって前記補修用アルミ板を前記既設アルミ板の外側に固定する補修用アルミ板固定工程と、
前記補修用アルミ板と前記カバーとの隙間が閉塞されるように前記補修用アルミ板と前記カバーとの境界にシーリングを設けるシーリング工程と、
前記補修用アルミ板の外面及び前記固定具の外面のうち少なくとも前記補修用アルミ板の外面に塗装する塗装工程と、を含む、壁補修方法。
【請求項２】
請求項１に記載の壁補修方法において、
前記準備工程では、前記補修用アルミ板として、前記既設アルミ板の全域を覆う形状を有するものを準備し、
前記位置決め工程では、前記既設アルミ板の外面の全域を覆うように前記補修用アルミ板を位置決めする、壁補修方法。
【請求項３】
請求項１又は２に記載の壁補修方法において、
前記位置決め工程の前に、前記補修用アルミ板を取り外し可能な状態で仮保持することが可能な仮保持部材を前記既設アルミ板の外面に取り付ける仮保持部材取付工程をさらに含む、壁補修方法。
【請求項４】
請求項３に記載の壁補修方法において、
前記準備工程では、前記補修用アルミ板として、互いに対向する縁部を有し、これら縁部同士が互いに接触した状態で前記浮き上がり部を覆う形状を有する第１アルミ板及び第２アルミ板を準備し、
前記位置決め工程では、前記第１アルミ板の縁部の端面と前記第２アルミ板の縁部の端面とが互いに接触する状態で前記第１アルミ板及び前記第２アルミ板を前記仮保持部材に保持させる、壁補修方法。
【請求項５】
請求項１ないし４のいずれかに記載の壁補修方法において、
前記位置決め工程の前に、前記既設アルミ板のうち前記浮き上がり部を含む部位を除去する除去工程をさらに含む、壁補修方法。
【請求項６】
請求項１ないし５のいずれかに記載の壁補修方法において、
前記位置決め工程の後でかつ前記補修用アルミ板固定工程の前に、前記固定具を取り付けるための穴を前記補修用アルミ板、前記既設アルミ板及び前記壁本体に形成する穴形成工程をさらに含み、
前記補修用アルミ板固定工程では、前記固定具として、前記穴の直径よりも小さな外径を有する筒部と、前記筒部の基端部から当該筒部の径方向の外向きに張り出すとともに前記穴の直径よりも大きな外形を有する押付部と、を有するブラインドリベットを用い、前記押付部によって前記補修用アルミ板が前記既設アルミ板に押し付けられかつ前記筒部が前記穴に挿入された状態で前記筒部の先端部が前記穴の直径よりも大きな外形となるように前記筒部の先端部を塑性変形させることによって前記補修用アルミ板を前記既設アルミ板の外側に固定する、壁補修方法。
【請求項７】
請求項６に記載の壁補修方法において、
前記壁は、前記壁本体の内側に前記壁本体から空間を置いて配置された内側壁本体と、前記内側壁本体の内側に取り付けられたアルミニウムないしアルミニウム合金からなる内側既設アルミ板と、をさらに有し、
前記穴形成工程では、前記補修用アルミ板から前記壁本体までの範囲にのみ前記穴を形成する、壁補修方法。